(57)【要約】【課題】隣接空間に対する連続性と遮蔽性とのバランスを実現しやすく、立面を多目的に利用可能で、全体として従来にない趣向の美しい意匠性を具備した仕切り壁を提供する。【解決手段】  仕切り壁１は、隣接する二組以上の自立可能な壁体２（２Ａ、２Ｂ、２Ｃ、２Ｄ）が、互いの端部近傍にて上下方向の軸部材３１、３３等を介し互いに回動可能または移動可能に連結される。各壁体２は、厚さが略統一された略長矩形状の仕切り板２１を複数枚積層して構成され、上下の仕切り板２１間には仕切り板２１の厚さと略等しい間隙が設けられる。隣接する二組の壁体２は、各々の仕切り板２１の端部を、相手方の仕切り板２１の間隙内に挟み込んで互いに重合した状態で連結される。【選択図】図１２
2009270295.tif 000002
【特許請求の範囲】
【請求項１】
隣接する二組以上の壁体が、それぞれの端部近傍にて上下方向の支軸を介し連結され、水平面内で互いに回動自在となされる仕切り壁において、
各壁体は、厚さが略統一された略長矩形状の仕切り板を、上下の仕切り板間に仕切り板の厚さと略等しい間隙を設けた状態で、各仕切り板の四辺を上下方向に揃えて複数枚、積層することにより構成され、
隣接する二組の壁体同士は、各壁体を構成する仕切り板の端部が、相手方の壁体を構成する仕切り板間の間隙内に挟み込まれて互いに重合するように並置され、上記仕切り板の重合部を上下方向に貫通する軸部材を介して互いに回動自在に連結されたことを特徴とする仕切り壁。
【請求項２】
隣接する二組以上の壁体が、それぞれの端部近傍にて上下方向の支軸を介し連結され、該連結位置が少なくとも一方の壁体の長さ方向に沿って移動自在となされる仕切り壁において、
各壁体は、厚さが略統一された略長矩形状の仕切り板を、上下の仕切り板間に仕切り板の厚さと略等しい間隙を設けた状態で、各仕切り板の四辺を上下方向に揃えて複数枚、積層することにより構成され、
隣接する二組の壁体同士は、各壁体を構成する仕切り板の端部が、相手方の壁体を構成する仕切り板間の間隙内に挟み込まれて互いに重合するように並置され、上記仕切り板の重合部を上下方向に貫通する軸部材を介して互いに連結されるとともに、
少なくとも一方の壁体を構成する仕切り板には、その長さ方向に延びる案内用長孔が形成されて、該案内用長孔に上記軸部材が挿通されることにより、両壁体の連結位置が上記一方の壁体の長さ方向に沿って移動自在となされたことを特徴とする仕切り壁。
【請求項３】
請求項１又は２に記載の仕切り壁において、
壁体の自由端部は、上下の仕切り板間に設けられる全ての間隙に、仕切り板の厚さと略等しい厚さの飼板を挟み込み、仕切り板の自由端部三辺と飼板の三辺とを上下方向に揃えた状態で仕切り板及び飼板が結合されてなることを特徴とする仕切り壁。
【請求項４】
請求項１〜３のいずれか一項に記載の仕切り壁において、
壁体を構成する仕切り板の間隙の一部に、仕切り板と略同厚の可動棚板が挟み込まれ、該可動棚板の端部近傍が短軸部材を介して上下の仕切り板に軸支されることにより、可動棚板が壁体の立面外へ引出し可能となされたことを特徴とする仕切り壁。
【発明の詳細な説明】
【技術分野】
【０００１】
本発明は、収納機能と間仕切り機能とを備えた据置き式の仕切り壁に関し、特に、設置される空間の平面形状や利用目的に応じて、壁面の位置や向き、棚板の配置等を自由に変更しうる形状可変性を具備した仕切り壁に関する。
【背景技術】
【０００２】
利用者の好みや利用目的に応じて空間の形状を変更することのできる仕切り壁としては、例えば、室内に立設した支軸に１枚乃至複数枚の間仕切りパネルの側端縁を連結して、該間仕切りパネルを任意の向きに回動自在としたり、あるいは該間仕切りパネルを、その面内方向に摺動自在としたもの（特許文献１、２等）が公知である。
【特許文献１】特開２００１−１７３１３３号公報
【特許文献２】特開２００３−１７２０６７号公報
【発明の開示】
【発明が解決しようとする課題】
【０００３】
上記特許文献に記載されたような仕切り壁において、間仕切りパネルが開口や凹凸のない平坦な形状であると、仕切られた空間が単調で窮屈な印象になりやすい。そこで、例えば間仕切りパネルに部分的な開口を設けて、隣接する空間への見通しを可能にし、空間的な拡がり感を高めることがある。また、間仕切りパネルの表面に、例えば収納のための棚部や凹部を設けたり、意匠的効果を意図した装飾を施したりすることもある。上記特許文献２にも、そのような意図による実施形態が複数例、提案されている。
【０００４】
しかしながら、間仕切りパネルに部分的な開口を設けるなどして隣接する空間との連続性を形成する場合、その連続性と遮蔽性とのバランスを、実際の空間の拡がり感や利用態様に応じて適切に設定することは難しい。
【０００５】
また、間仕切りパネルに収納のための棚板や凹部、あるいは意匠的な装飾や起伏を設ける場合は、仕切り壁の立面全体にデザイン的なまとまりがなくなって、雑然とした印象になりがちである。
【０００６】
本発明は上述のような事情に鑑みてなされたもので、隣接する空間との連続性と、間仕切り装置としての遮蔽性とを、個々の空間形状や利用態様に応じてバランスよく設定することができるとともに、立面を収納その他、多目的に利用することができ、かつ、全体として従来にない趣向の美しい意匠的効果を具備した仕切り壁を提供するものである。
【課題を解決するための手段】
【０００７】
上記した目的を達成するため、本発明の請求項１に係る仕切り壁は、隣接する二組以上の壁体が、それぞれの端部近傍にて上下方向の支軸を介し連結され、水平面内で互いに回動自在となされる仕切り壁において、各壁体は、厚さが略統一された略長矩形状の仕切り板を、上下の仕切り板間に仕切り板の厚さと略等しい間隙を設けた状態で、各仕切り板の四辺を上下方向に揃えて複数枚、積層することにより構成され、隣接する二組の壁体同士は、各壁体を構成する仕切り板の端部が、相手方の壁体を構成する仕切り板間の間隙内に挟み込まれて互いに重合するように並置され、上記仕切り板の重合部を上下方向に貫通する軸部材を介して互いに回動自在に連結されたことを特徴とする。
【０００８】
また、本発明の請求項２に係る仕切り壁は、隣接する二組以上の壁体が、それぞれの端部近傍にて上下方向の支軸を介し連結され、該連結位置が少なくとも一方の壁体の長さ方向に沿って移動自在となされる仕切り壁において、各壁体は、厚さが略統一された略長矩形状の仕切り板を、上下の仕切り板間に仕切り板の厚さと略等しい間隙を設けた状態で、各仕切り板の四辺を上下方向に揃えて複数枚、積層することにより構成され、隣接する二組の壁体同士は、各壁体を構成する仕切り板の端部が、相手方の壁体を構成する仕切り板間の間隙内に挟み込まれて互いに重合するように並置され、上記仕切り板の重合部を上下方向に貫通する軸部材を介して互いに連結されるとともに、少なくとも一方の壁体を構成する仕切り板には、その長さ方向に延びる案内用長孔が形成されて、該案内用長孔に上記軸部材が挿通されることにより、両壁体の連結位置が上記一方の壁体の長さ方向に沿って移動自在となされたことを特徴とする。
【０００９】
これらの構成に係る仕切り壁は、いずれも、間仕切り面を形成する壁体が、略長矩形状の仕切り板を複数枚、積層して構成されるものであって、仕切り板の間には仕切り板の厚さと略等しい間隙が設けられるとともに、隣接する壁体同士の連結箇所は、一方の壁体を構成する仕切り板が、相手方の壁体を構成する仕切り板間の間隙内に挟み込まれて互いに重合する、という共通の構造的特徴を有している。
【００１０】
そして、間隙を設けて多段に積層された仕切り板により、陰影のある重層的な水平ラインが強調され、端正で美しい間仕切り面が創出される。仕切り板の間に設けられる間隙は、壁体の奥行きを感じさせつつ、隣接する空間への部分的な見通しを可能にして、壁体に囲まれる空間の窮屈さを緩和する。
【００１１】
仕切り板の厚さと間隙の高さが揃えられることにより、壁体を真正面から見たときの見通し率（開口率）は最大で約５割となる。ただし、仕切り板には一定の奥行きがあるため、斜め上方または斜め下方から見ると視線が遮断される。したがって、仕切り板の厚み（間隙）や奥行き寸法の設定によって、隣接する空間との連続性と遮蔽性を好適に変化させることができる。
【００１２】
さらに、隣接する壁体同士が回動する場合、及び一方の壁体の長さ方向に沿って移動する場合のいずれにおいても、その変位が仕切り板の重合部に吸収される。このような壁体同士の連結構造を採用することにより、重層的な水平ラインが連続する意匠的特徴が、常に一定に保持される。
【００１３】
本発明の請求項３に係る仕切り壁は、上記壁体の自由端部が、上下の仕切り板間に設けられる全ての間隙に、仕切り板の厚さと略等しい厚さの飼板を挟み込み、仕切り板の自由端部三辺と飼板の三辺とを上下方向に揃えた状態で仕切り板及び飼板が結合されてなることを特徴とする。この構成によれば、壁体の自由端部（他の壁体に連結されない端部）が上下方向に密実かつ重厚な印象に形成されて、構造的にも、また意匠的にも、仕切り壁全体の安定感が向上する。
【００１４】
本発明の請求項４に係る仕切り壁は、上記壁体を構成する仕切り板の間隙の一部に、仕切り板と略同厚の可動棚板が挟み込まれ、該可動棚板の端部近傍が短軸部材を介して上下の仕切り板に軸支されることにより、可動棚板が壁体の立面外へ引出し可能となされたことを特徴とする。この構成によれば、必要に応じて壁体の前面に引き出される可動棚板を、各種物品の陳列や仮置き、あるいは腰掛けや作業台等の用途に利用することが可能になる。そして、その場合でも、仕切り板の水平ラインが連続する端正な印象は好適に保持される。
【発明の効果】
【００１５】
本発明の仕切り壁は、仕切り板を、その厚さと略等しい間隙を設けて積層することにより壁体が構成されているので、重層的な水平ラインが強調された端正な印象の間仕切り面が創出される。仕切り板の間に設けられる間隙は、隣接する空間への見通しを部分的に可能にして、壁体に囲まれた空間の窮屈さを緩和し、隣接する空間への連続性と、間仕切り装置としての遮蔽性とを、バランスよく実現する。
【００１６】
さらに、本発明の仕切り壁は、隣接する壁体同士の連結箇所が仕切り板を互いに重合した状態で連結され、隣接する壁体同士が回動する場合、及び一方の壁体の長さ方向に沿って移動する場合のいずれにおいても、その変位が仕切り板の重合部に吸収されるように構成されている。したがって、仕切り板の重層的な水平ラインが連続する端正な印象が、壁体の位置関係に関わらず常に好適に保持される。
【発明を実施するための最良の形態】
【００１７】
以下、本発明の実施の形態について図を参照して説明する。
【００１８】
図１〜図１４は、本発明の実施形態に係る仕切り壁１の各部形状や構造を示す図である。
【００１９】
例示形態に係る仕切り壁１は、四組の壁体２（２Ａ、２Ｂ、２Ｃ、２Ｄ）を直列的に連結して構成されている。四組の壁体２の高さ及び厚さ（壁体２を正面から見た奥行き方向の寸法）は、ほぼ共通で、高さは概ね１．２〜１．８ｍ、厚さは概ね２０〜５０ｃｍの範囲に設定されている。また、各壁体２の長さ（壁体２を正面から見た横幅方向の寸法）は、それぞれ概ね１〜３ｍの範囲に設定されている。ただし、これらの設定寸法については、利用態様に応じ、実用性を損なわない範囲で適宜、改変可能である。
【００２０】
各壁体２は、厚さが略統一された略長矩形状の仕切り板２１を、複数枚、積層して構成されている。仕切り板２１は、上面及び下面が略平坦に形成され、平面形状は各壁体２ごとに揃えられている。仕切り板２１の材質としては、天然製材のほか、集成材や化粧合板その他の木質系加工面材、合成樹脂材、或いは樹脂や金属からなる下地材の表面に適宜の化粧材を貼設するなどした板状の部材等が利用される。
【００２１】
仕切り板２１の厚さは、概ね２〜６ｃｍ（より好ましくは４〜５ｃｍ）の範囲に設定されており、仕切り板２１の奥行き及び長さは、そのまま各壁体２の厚さ及び長さとなる。仕切り板２１は、上下の仕切り板２１間に、仕切り板２１と略同厚の間隙を設けた状態で、所望の高さとなるように十数枚〜二十数枚程度が四辺を揃えて積層される。各壁体２の最下部には、台輪その他、適宜のベース部２２が設けられて、各壁体２が設置面上に安定して自立するように構成されている。
【００２２】
この仕切り壁１は、図１０〜図１２に示すように、各壁体２の位置関係を変化させ得るように構成されている。図１の正面図において最も左に位置する壁体２Ａの一端部は、左から二番目に位置する壁体２Ｂの一端部と回動自在に連結されて、壁体２Ａと壁体２Ｂとのなす平面角が可変となっている。また、左から二番目の壁体２Ｂの他端部は、左から三番目の壁体２Ｃの一端部と回動自在に連結されて、壁体２Ｂと壁体２Ｃとのなす平面角が可変となっている。さらに、左から三番目の壁体２Ｃの他端部は、最も右に位置する壁体２Ｄの一端部に連結され、壁体２Ｃと壁体２Ｄとが略同一面をなすように保持されたまま、互いの連結位置が壁体２Ｃ、Ｄの長さ方向に移動可能となっている。以下、各連結箇所の構造について説明する。
【００２３】
壁体２Ａと壁体２Ｂとの連結箇所にあっては、図１３に示すように、各壁体２を構成するそれぞれの仕切り板２１の端部が、相手方の壁体２を構成する仕切り板２１間の間隙内に挟み込まれて互いに重合する。そして、仕切り板２１同士の重合部が、該重合部を上下方向に貫通する一本の軸部材３１を介して連結される。軸部材３１には、例えば、円形断面の鋼管や鋼棒等が用いられる。軸部材３１は、一方の壁体２（例示形態にあっては壁体２Ｂ）の最下段の仕切り板２１か、あるいはこれに替わる適当なベース部上に垂直に立設される。そして、予め仕切り板２１に形成した円形の軸通孔２３を軸部材３１に挿装するようにして、両壁体２（２Ａ、２Ｂ）の仕切り板２１が、下から順に交互に積層される。軸通孔２３は、仕切り板２１の重合部における奥行き方向及び幅方向の略中心位置に形成される。このような連結構造により、両壁体２が、仕切り板２１の上下間隔を一定に保持したまま、互いに離脱不能かつ回動自在に連結される。軸部材３１の上端部は、仕切り板２１の重合部の上端面から突出しないように納められている。
【００２４】
壁体２Ｂと、左から三番目の壁体２Ｃとの連結箇所も、上記と同様の構造によって回動自在に連結されている。
【００２５】
なお、上記の連結箇所においては、互いに重合する仕切り板２１同士の面的接触による摩擦力が、壁体２の回動操作を妨げるおそれがある。その場合は、例えば表面を平滑に加工した薄い金属板や樹脂板等からなるワッシャ状の部材３２を用意し、これを軸部材３１の周囲に挿装して各仕切り板２１の間に挟み込むことにより、仕切り板２１同士の摩擦力を低減することができる。
【００２６】
壁体２Ｃと壁体２Ｄとの連結箇所についても、図１４に示すように、各壁体２を構成するそれぞれの仕切り板２１の端部が、相手方の壁体２を構成する仕切り板２１間の間隙内に挟み込まれて互いに重合する。そして、仕切り板２１同士の重合部が、該重合部を上下方向に貫通する一本の軸部材３３を介して連結されることにより、両壁体２における仕切り板２１の上下間隔が一定に保持される。軸部材３３は、一方の壁体２（例示形態にあっては壁体２Ｄ）の最下段の仕切り板２１か、あるいはこれに替わる適当なベース部上に垂直に立設される。そして、予め仕切り板２１に形成した軸通孔２４を軸部材３３に挿装するようにして、仕切り板２１が下から順に積層される。軸通孔２４は、仕切り板２１の重合部における奥行き方向略中心位置に形成される。
【００２７】
ただし、この連結箇所にあっては、軸部材３３が角形断面、あるいはそれに類する非円形断面の鋼管や鋼棒等からなり、軸通孔２４も角形等に形成されて、仕切り板２１と軸部材３３とが互いに回動しないようになっている。そして、一方の壁体２（例示形態にあっては壁体２Ｃ）については、仕切り板２１に形成される軸通孔が、仕切り板２１の長さ方向に延びる案内用長孔２５となされている。軸部材３３は、他方の壁体２（例示形態にあっては壁体２Ｄ）に対しては固定されているが、壁体２Ｃ側に対しては案内用長孔２５に沿って軸部材３３の挿通位置が移動可能となる。この連結構造により、壁体２Ｃと壁体２Ｄとが略同一面をなす姿勢を保持したまま、両壁体２の連結位置を壁体２Ｃの長さ方向に移動させ、両壁体２の連結長さを拡縮させることができる。
【００２８】
なお、この連結構造において、軸部材３３に円形断面のものを採用すれば、壁体２Ｃ及び壁体２Ｄを構成するそれぞれの仕切り板２１を軸部材３３に対して回動可能とすることもできる。この場合は、連結長さの拡縮と連結角度の変更の両方が可能になる。
【００２９】
壁体２Ｃと壁体２Ｄとの連結箇所においては、両壁体２の仕切り板２１の重合部分にて仕切り板２１同士の面的接触による摩擦力が生じ、連結長さの拡縮操作が妨げられるおそれがある。そこで、図１４に示すように、仕切り板２１同士の摩擦力を低減するため、仕切り板２１の接触部分には、例えばガイドレール３４やガイドローラ３５等からなる摩擦低減手段が設けられている。
【００３０】
ガイドレール３４は、単純な浅い溝形断面をなし、互いに重合する仕切り板２１の上面の前縁と後縁に沿って２条、平行に形成されている。ガイドローラ３５は、例えば上記ガイドレール３４の溝内を転動し得る大きさの小さい車輪と、車輪を軸支する適宜の薄い支持部材（図示せず）とからなり、それらが上記ガイドレール３４の位置と合致するように、各仕切り板２１の下面を適宜形状に堀り込んで取り付けられている。
【００３１】
なお、例示形態に係る壁体２Ｄは、仕切り板２１の下面にガイドローラ３５を取り付けるための寸法的事情から、他の壁体２よりも仕切り板２１が僅かに薄く、その分だけ間隙が僅かに広くなるように形成されている。ただし、壁体２Ｄの仕切り板２１の厚さと間隙を他の壁体２に揃えることも、もちろん可能である。
【００３２】
上記の構成に替わる他の摩擦低減手段としては、例えば上下の仕切り板２１、２１に断面半円形状をなすガイド溝を対向させて形成し、そのガイド溝間に球状のガイドボール等を挟み込んで転動させるような機構を採用することもできる。
【００３３】
例示の仕切り壁１において、他の壁体２に連結されない自由端部、つまり、図１における壁体２Ａの左端部と壁体２Ｄの右端部は、各仕切り板２１間に、仕切り板２１の厚さと略等しい厚さの飼板２７が挟み込まれることによって、仕切り板２１の上下間隙が一定に保持されている。飼板２７は、その奥行きが仕切り板２１の奥行きに合致し、さらに長さ方向の寸法も仕切り板２１の奥行きと同程度となる略正方形状に形成されている。図１０にも示すように、飼板２７は、その三辺を仕切り板２１の端部三辺と面一に揃えて、仕切り板２１と交互に積層される。仕切り板２１と飼板２７との積層箇所は、該積層箇所の奥行き方向及び幅方向の略中心位置を上下方向に貫通する一本の軸部材３７を介して結合される。軸部材３７としては、仕切り板２１及び飼板２７に対して回動を許容しない角形断面、あるいはそれに類する非円形断面の鋼管や鋼棒等が用いられる。このような構造により、壁体２の自由端部が上下方向に密実になって形態的安定感が増すとともに、外観的な印象も重厚なものになる。
【００３４】
このように、本発明の仕切り壁１は、壁体２を構成する仕切り板２１が、その厚さと略等しい間隙を設けて積層されているので、重層的な水平ラインが強調された端正な印象の間仕切り面が創出される。仕切り板２１の間に設けられる間隙は、隣接する空間への見通しを部分的に可能にして、壁体２に囲まれた空間の窮屈さを緩和する。そして、壁体２同士の連結箇所にあっても、隣接する壁体２の仕切り板２１同士が互いに重合し、壁体２の移動による変位が仕切り板２１の重合部に吸収されるので、重層的な水平ラインが連続する外観的印象が、壁体２の位置関係に関わらず常に好適に保持される。
【００３５】
さらに、本発明の仕切り壁１は、壁体２同士が互いに回動自在、あるいは長さ方向に摺動自在に連結されることにより、空間の平面形状や利用目的に応じて、多様な連結形態で利用することができる。例えば図１１に示したように、壁体２を平面視コ字状に屈曲させて矩形空間の三方を囲むように配置したり、あるいは図１２に示したように、壁体２を交互に折り返して広い空間を仕切ったりすることができる。
【００３６】
なお、連結形態の変形によって位置が変化しうる部位の底部にはキャスターが取り付けられて、床面上での移動を容易にしている。例示形態にあっては、図４に示すように、壁体２Ａの自由端部に設けた台輪２２の内側に、壁体２Ａの立面と直交する方向への転動を可能にする固定式キャスター４１が取り付けられている。また、壁体２Ｄの自由端部、及び壁体２Ｃと壁体２Ｄとの連結箇所にそれぞれ設けた台輪２２の内側に、全方向に回動する首振り式キャスター４２が取り付けられている。
【００３７】
また、本発明の仕切り壁１は、立設した軸部材３１、３３、３７に、予め形状を揃えてカットした仕切り板２１を下から順に積層する、という単純な構造で構成されるので、設置現場での組み立てや解体作業が至極簡単である。複雑な調整作業や面倒な現場加工を必要としないので、誰でも簡単に設置することができる。
【００３８】
図１５及び図１６は、本発明の変形形態を示す。例示形態に係る仕切り壁１は、少なくとも一部の壁体２の立面に多目的性や意匠的な変化を付与するため、該壁体２を構成する仕切り板２１の間隙内に可動棚板５１を装備している。
【００３９】
可動棚板５１は、仕切り板２１と略同厚、同材質の板材を仕切り板２１よりも短寸に形成した部材である。可動棚板５１は、不使用時には仕切り板２１の間隙内に挟み込まれて、目立たないように収納されている。そして、必要に応じて引き出され、壁体２の立面外に突出する状態で、物品載置用の棚や腰掛け等に利用される。
【００４０】
可動棚板５１の収納及び固定手段として、図１５に示した形態では、可動棚板５１の端部近傍を、適宜の短軸部材（図示せず）を介して上下の仕切り板２１間に回動自在に軸支する、という構造を採用している。これによれば、可動棚板５１を必要に応じ回動させて、自由端側を壁体２の立面外へと引き出し、片持ち状に突出させて利用することができる。
【００４１】
また、図１６に示した形態では、可動棚板５１を壁体２とは別体に形成して、壁体２から完全に分離可能となし、その可動棚板５１を仕切り板２１の間隙内に挿入して利用する、という構成を採用している。本発明の仕切り壁１は、仕切り板２１間の間隙が略統一されているので、可動棚板５１を任意の位置に挿入することができる。片持ち状に突出した部分に重い物を載置したり、あるいは腰掛けや作業台等に利用する場合は、荷重を支えるための補強が必要になる。そこで、同様の板材５２をもう一枚用意し、これを可動棚板５１の下面に略Ｌ字状に接合して支持脚となす。この支持脚になる板材５２も、不使用時には仕切り板２１の間隙内に収納しておくことができる。
【００４２】
このような可動棚板５１を適当な枚数及び大きさで収納自在に装備することにより、仕切り壁１の全体的な意匠性と構造的な安定感を保持しつつ、さまざまな態様への利用可能性を拡張することができる。そして、その場合でも、仕切り板２１の水平ラインが連続する端正な印象が好適に保持される。
【産業上の利用可能性】
【００４３】
本発明に係る仕切り壁は、建物の屋内・屋外を問わず、広い空間を任意の形状に区画したり、あるいは、任意の場所に仮設的な壁面を設置したりするのに広く利用することができる。特に、隣接空間との間を完全に遮蔽するのではなく、適度な連続性を残したい場合、例えば、商業施設のオープンスペースやイベント会場、公共施設のホールやホテルのロビーなど、全体として拡がりのある空間を適度な大きさに区切るような態様において好適に利用することができる。もちろん、一般住宅その他の私的空間においても十分に利用可能である。
【図面の簡単な説明】
【００４４】
【図１】本発明の実施形態に係る仕切り壁の、壁体を一直線状に連結した状態での正面図である。
【図２】同、仕切り壁の背面図である。
【図３】同、仕切り壁の上面図である。
【図４】同、仕切り壁の底面図である。
【図５】同、仕切り壁の右側面図である。
【図６】同、仕切り壁の左側面図である。
【図７】図１におけるＡ−Ａ拡大断面図である。
【図８】図１におけるＢ−Ｂ拡大断面図である。
【図９】図７におけるＣ−Ｃ拡大断面図である。
【図１０】同、仕切り壁の壁体を一直線状に連結した状態での全体斜視図である。
【図１１】同、仕切り壁の壁体を平面視コ字状に連結した状態での全体斜視図である。
【図１２】同、仕切り壁の壁体を交互に折り返して連結した状態での全体斜視図である。
【図１３】壁体２Ａと壁体２Ｂとの連結構造を示す部分斜視図である。
【図１４】壁体２Ｃと壁体２Ｄとの連結構造を示す部分斜視図である。
【図１５】本発明の変形形態として可動棚板の取付形態を示した部分斜視図である。
【図１６】同、可動棚板の他の取付形態を示した部分斜視図である。
【符号の説明】
【００４５】
１  仕切り壁
２  壁体
２１  仕切り板
２５  案内用長孔
２７  飼板
３１  軸部材
３３  軸部材
５１  可動棚板
【図１】
2009270295.tif 000003
【図２】
2009270295.tif 000004
【図３】
2009270295.tif 000005
【図４】
2009270295.tif 000006
【図５】
2009270295.tif 000007
【図６】
2009270295.tif 000008
【図７】
2009270295.tif 000009
【図８】
2009270295.tif 000010
【図９】
2009270295.tif 000011
【図１０】
2009270295.tif 000012
【図１１】
2009270295.tif 000013
【図１２】
2009270295.tif 000014
【図１３】
2009270295.tif 000015
【図１４】
2009270295.tif 000016
【図１５】
2009270295.tif 000017
【図１６】
2009270295.tif 000018